(57)【要約】【課題】母屋及びパラペットが固定された屋上部の屋根全面の防水施工を、作業員の落下を防止して効率よくでき、かつ防水屋根の完成後の定期点検やメンテナンスの際にも、作業員の安全性を確保できる防水屋根構造とその防水施工方法を提供する。【解決手段】天井部を構成する梁ｂに母屋ｃ及びパラペットｄが固定された機械式駐車装置１００の防水屋根構造であり、屋根材４０、防水シート５０、及び複数の支柱下部１０を備える。複数の支柱下部１０は、母屋ｃ又は梁ｂに下端部が固定され、上端が防水シート５０より上方まで延びる。支柱下部１０は、その上部に着脱可能な支柱上部２０を固定して親綱支柱として用いることができる。また、支柱下部１０の固定位置は、隣接する支柱上部２０の間を連結する親綱ｇから安全帯のランヤードの許容長さで、屋根全面にアクセスできるように設定されている。【選択図】図４
2020193479.tif 000002
【特許請求の範囲】
【請求項１】
天井部を構成する梁に母屋及びパラペットが固定された機械式駐車装置の防水屋根構造であって、
前記母屋及び前記パラペットの上面に固定された屋根材と、
前記屋根材の上面に貼付けられた防水シートと、
前記母屋又は前記梁に下端部が固定され、上端が前記防水シートより上方まで延びる複数の支柱下部と、を備え、
前記支柱下部は、その上部に着脱可能な支柱上部を固定して親綱支柱として用いることができ、
前記支柱下部の固定位置は、隣接する前記支柱上部の間を連結する親綱から安全帯のランヤードの許容長さで、屋根全面にアクセスできるように設定されている、防水屋根構造。
【請求項２】
前記親綱から前記パラペットの外縁までの水平距離が、前記ランヤードの前記許容長さより短く、かつ作業員が歩行可能な幅よりも長く設定されている、請求項１に記載の防水屋根構造。
【請求項３】
前記支柱下部は、その上部に第１水平貫通孔を有する中空管であり、
さらに、前記支柱下部の上端外側に嵌合し前記中空管の上端開口を液密に覆う防水キャップを備え、該防水キャップは、前記第１水平貫通孔と整合する位置に第２水平貫通孔を有し、
さらに、前記第１水平貫通孔及び前記第２水平貫通孔を貫通して着脱可能であり、前記親綱を固定可能なアイボルトを備える、請求項１に記載の防水屋根構造。
【請求項４】
前記支柱上部は、その下端部に前記中空管の内側に嵌合する嵌合部を有し、該嵌合部は、前記第１水平貫通孔と整合する位置に第３水平貫通孔を有する、請求項３に記載の防水屋根構造。
【請求項５】
前記支柱下部は、前記防水キャップより下方位置に設けられ半径方向外方に延びる鍔部材を有する、請求項３に記載の防水屋根構造。
【請求項６】
請求項１に記載の防水屋根構造の防水施工方法であって、
（Ａ）隣接する前記支柱上部の間を連結する親綱から安全帯のランヤードの許容長さで、前記屋根全面にアクセスできるように複数の前記支柱下部の固定位置を設定し、
（Ｂ）前記支柱下部を前記母屋又は前記梁に固定し、その上部に前記支柱上部を固定して親綱支柱として用い、
（Ｃ）前記屋根材に前記支柱下部を避ける開口を設け、前記屋根全面に前記屋根材を固定し、
（Ｄ）前記防水シートを前記屋根材の上面に貼付け、
（Ｅ）前記支柱下部の上端外側に防水キャップを嵌合させて前記支柱下部の上端開口を液密に覆う、防水屋根構造の防水施工方法。
【請求項７】
前記防水シートを、前記屋根材の上面から、前記支柱下部の外面、及び前記パラペットの上面まで連続的に貼付ける、請求項６に記載の防水屋根構造の防水施工方法。
【請求項８】
前記支柱下部の上端外側と前記防水キャップとの隙間をシーリング材でシールする、請求項６に記載の防水屋根構造の防水施工方法。
【発明の詳細な説明】
【技術分野】
【０００１】
本発明は、機械式駐車装置の防水屋根構造とその防水施工方法に関する。
【背景技術】
【０００２】
機械式駐車装置（例えば、エレベータ式駐車装置）の骨組は、通常、Ｈ形鋼や溝形鋼を用いたラーメン構造である。以下、この骨組（ラーメン構造）を単に「鋼構造体」と呼ぶ。
またその鋼構造体の外形寸法は、例えば普通自動車を５０台収容する場合、間口Ｗが７〜８ｍ、奥行きＬが６〜７ｍ、高さＨが４０〜５０ｍとなる。そのため、機械式駐車装置の屋上部の構築は高所作業であり、鋼構造体の周りに足場を設置して実施している。
【０００３】
かかる屋上部の構築には、足場の他に、例えば、スタンション、親綱、親綱支柱、安全帯、などが用いられる。
「スタンション」は、防護柵を設置するための支柱である。スタンションの取付け間隔は、安全上、例えば２ｍ以下であり、その間に単管がハンドレール（手摺）として取り付けられる。
「親綱」は、建築現場における安全帯を引っ掛けるためのロープである。親綱には、ナイロンやポリエステルなど繊維質で作られた綱が通常用いられる。
「親綱支柱」は、落下防止のための支柱である。親綱は、安全性を確保するため、隣接する親綱支柱の間にたるまないよう設置される。
「安全帯」は、胴ベルト型（一本つり）、胴ベルト型（Ｕ字つり）、及びハーネス型（一本つり）に区分される。このうち、特に高所作業には、胴ベルト型（一本つり）とハーネス型が適している。胴ベルト型（一本つり）とハーネス型の安全帯は、「墜落制止用器具」とも呼ばれる。
【０００４】
高所作業では、安全帯のランヤード長さは例えば１．５ｍ以下に制限されている。また、隣接する親綱支柱の間（１スパン）の作業は一人に制限される。さらに、親綱支柱の取付け間隔は、垂直距離（落下距離）に応じて定められ、通常、４〜１０ｍである。
【０００５】
上述した親綱支柱は、例えば特許文献１に開示されている。
特許文献１の「防護用支柱」は、支柱外装を形成する外装パイプと、外装パイプに内装される補強構造体とを有する。補強構造体は、互いに入れ子状に嵌合されて少なくとも二重の管壁を形成する複数本の金属製補強パイプを有している。さらに、複数本の補強パイプによる嵌合間の周隙間に対して軟金属による粘着層が形成されている。
【先行技術文献】
【特許文献】
【０００６】
【特許文献１】特開２０１６−１９９９６５号公報
【発明の概要】
【発明が解決しようとする課題】
【０００７】
上述したように機械式駐車装置の屋上部の骨組（鋼構造体）は、その周りに足場を設置し、スタンション、親綱支柱などを用いて構築される。さらにこの足場等を用いて、天井部を構成する梁の上面に母屋を間隔を開けて取り付け、かつ屋上の周囲にパラペットを設けることができる。
「パラペット」とは、建物の屋上のへりに設け、人の落下を防ぐ手すりである。パラペットの上面高さは、屋上の用途に応じて母屋の上面から２００〜８００ｍｍである。
【０００８】
図１は、母屋及びパラペットが固定された屋上部の骨組を示す従来の平面図（Ａ）とそのＢ−Ｂ矢視図（Ｂ）である。
この図において、ａは主柱、ｂは天井部を構成する梁、ｃは母屋、ｄはパラペット、ｅは屋上の四隅に設けられパラペットｄを連結する垂直ポールである。なおこの図で足場、スタンション、親綱支柱等の図示は省略している。
【０００９】
機械式駐車装置の屋上の防水施工は、さらに、母屋ｃの上面に屋根材を隙間なく固定し、その上面に防水シートを貼り付けることで実施される。
この場合、パラペットｄの外側に位置する足場から、作業員が「屋根材の固定」と「防水シートの貼り付け」を実施することは困難であり、パラペットｄの内側に入り、母屋ｃの上に立って作業をする必要がある。
しかし、母屋ｃの設置間隔は広く（例えば、６００〜８００ｍｍ）、かつ上面高さは屋根勾配のため段差を有するので、作業員が隙間に落下する可能性、或いは剛性の低い屋根材を踏み抜く可能性がある。
【００１０】
そのため、従来の手段には以下の問題点があった。
（１）屋上の防水施工の際の安全性を高めるため、従来は、上述した可搬式の親綱支柱、親綱、及び安全帯を用いていた。しかしこの場合、親綱支柱の下端部を母屋ｃ（又は梁ｂ）に固定する必要があり、「屋根材の固定」のため親綱支柱の取付け／取り外しを頻繁に実施する必要が生じ、作業効率が極端に低い。
（２）屋上の四隅に設けられた垂直ポールｅの上部に延長ポールｆを固定し、これを親綱支柱として、上記の作業を実施することも考えられる。しかしこの場合、垂直ポールｅの上面に屋根材（又は防水シート）を施工する際、延長ポールｆを外す必要が生じ、安全性が確保できない。
また、間口Ｗ又は奥行きＬが大きい場合、パラペットｄの位置の親綱からの安全帯のランヤード長さが制限されているため、屋根面の中央部分は施工ができない。
（３）屋上の防水施工後は、鋼構造体の高さ制限のため、延長ポールｆが撤去され、垂直ポールｅの上部には屋根材（又は防水シート）が固定されている。そのため、防水屋根の完成後の定期点検やメンテナンスの際に、延長ポールｆや親綱支柱が利用できずに剛性の低い屋根材を踏み抜く可能性があり、安全性が確保できない。
【００１１】
本発明は上述した問題点を解決するために創案されたものである。すなわち母屋及びパラペットが固定された屋上部の屋根全面の防水施工を、作業員の落下を防止して効率よくでき、かつ防水屋根の完成後の定期点検やメンテナンスの際にも、作業員の安全性を確保できる防水屋根構造とその防水施工方法を提供する。
【課題を解決するための手段】
【００１２】
本発明によれば、天井部を構成する梁に母屋及びパラペットが固定された機械式駐車装置の防水屋根構造であって、
前記母屋及び前記パラペットの上面に固定された屋根材と、
前記屋根材の上面に貼付けられた防水シートと、
前記母屋又は前記梁に下端部が固定され、上端が前記防水シートより上方まで延びる複数の支柱下部と、を備え、
前記支柱下部は、その上部に着脱可能な支柱上部を固定して親綱支柱として用いることができ、
前記支柱下部の固定位置は、隣接する前記支柱上部の間を連結する親綱から安全帯のランヤードの許容長さで、屋根全面にアクセスできるように設定されている、防水屋根構造が提供される。
【００１３】
また本発明によれば、上記の防水屋根構造の防水施工方法であって、
（Ａ）隣接する前記支柱上部の間を連結する親綱から安全帯のランヤードの許容長さで、前記屋根全面にアクセスできるように複数の前記支柱下部の固定位置を設定し、
（Ｂ）前記支柱下部を前記母屋又は前記梁に固定し、その上部に前記支柱上部を固定して親綱支柱として用い、
（Ｃ）前記屋根材に前記支柱下部を避ける開口を設け、前記屋根全面に前記屋根材を固定し、
（Ｄ）前記防水シートを前記屋根材の上面に貼付け、
（Ｅ）前記支柱下部の上端外側に防水キャップを嵌合させて前記支柱下部の上端開口を液密に覆う、防水屋根構造の防水施工方法が提供される。
【発明の効果】
【００１４】
本発明の構成によれば、複数の支柱下部の固定位置が、隣接する支柱上部の間（１スパン）を連結する親綱から安全帯のランヤードの許容長さで、屋根全面にアクセスできるように設定されている。従って、安全帯のランヤード長さが制限され（例えば１．７ｍ以下）、隣接する親綱支柱の間（１スパン）の作業が一人に制限される場合でも、その屋根全面の防水施工を、作業員の落下を防止して効率よくできる。
【００１５】
また、本発明の構成によれば、複数の支柱下部の上端が防水シートより上方まで延びており、その上部に着脱可能な支柱上部を固定して親綱支柱として用いることができる。従って、防水屋根の完成後の定期点検やメンテナンスの際にも、支柱下部に支柱上部を固定して親綱支柱として用い、作業員の安全性を確保できる。
【図面の簡単な説明】
【００１６】
【図１】母屋及びパラペットが固定された屋上部の骨組を示す従来の平面図（Ａ）とそのＢ−Ｂ矢視図（Ｂ）である。
【図２】本発明を適用する機械式駐車装置の側面図である。
【図３】母屋及びパラペットが固定された屋上部の骨組を示す本発明の平面図（Ａ）とそのＢ−Ｂ矢視図（Ｂ）である。
【図４】図３（Ｂ）の支柱下部の拡大図である。
【図５】母屋、屋根材、及び防水シートの構造を示す斜視図である。
【図６】支柱下部の固定位置の説明図である。
【図７】本発明による防水屋根構造の防水施工方法の全体フロー図である。
【発明を実施するための形態】
【００１７】
以下、本発明の実施形態を図面に基づいて説明する。なお、各図において共通する部分には同一の符号を付し、重複した説明を省略する。
【００１８】
図２は、本発明を適用する機械式駐車装置１００の側面図である。
【００１９】
この図において、機械式駐車装置１００は、エレベータ式駐車装置である。なお、機械式駐車装置１００は、この例に限定されず、その他の任意の型式の駐車装置であってもよい。
【００２０】
図２において、ケージ５は、その上にパレット３を搭載し、格納棚６と入出庫フロア７との間で昇降路４を昇降する。格納棚６は、昇降路４に沿って複数設けられている。格納棚６からケージ上に横行したパレット３は、入出庫フロア７に向けて昇降路４を下降する。
【００２１】
ケージ５の中央には、昇降旋回装置５ａが設けられている。この昇降旋回装置５ａは、格納棚６とケージ５の間でパレット３を横行させる横行装置を兼ねている。入出庫時には、昇降旋回装置５ａによってパレット３が９０度水平旋回し、車両１の前後方向を格納方向から入出庫方向に向けるようになっている。
なお、この例では、車両１の格納方向と入出庫方向が直交しているが、格納方向と入出庫方向は同一であってもよい。
【００２２】
図３は、母屋ｃ及びパラペットｄが固定された屋上部の骨組を示す本発明の平面図（Ａ）とそのＢ−Ｂ矢視図（Ｂ）である。なおこの図は、屋上の防水施工を実施する前を示している。
この図において、ａは主柱、ｂは天井部を構成する梁、ｃは母屋、ｄはパラペット、ｅは屋上の四隅に設けられパラペットｄを連結する垂直ポールである。なおこの図で足場、スタンション、親綱支柱等の図示は省略している。
【００２３】
母屋ｃは、例えば、単一のリップ溝形鋼、１対のリップ溝形鋼の組合せ、溝形鋼、角形鋼管、等であり、梁ｂからの鉛直距離を変化させて、上面の段差が一定の勾配を有している。この勾配は例えば１／１００〜５／１００であり、雨水を勾配に沿って流すようになっている。
【００２４】
この図において、本発明による防水屋根構造は、母屋ｃ（又は梁ｂ）に下端部が固定され、上端が防水シート５０（後述する）より上方まで延びる複数の支柱下部１０を備える。
この例で、支柱下部１０は、母屋ｃに固定されているが、梁ｂに固定してもよい。
【００２５】
図４は、図３（Ｂ）の支柱下部１０の拡大図であり、（Ａ）は屋上の防水施工前を示している。
【００２６】
図４（Ａ）に示すように、支柱下部１０は、その上部に第１水平貫通孔１１を有する中空管である。中空管は、矩形鋼管（例えば７５ｍｍ×７５ｍｍ）又は円形鋼管であり、母屋ｃ（又は梁ｂ）に下端部が溶接又はボルトで強固に固定されている。また、支柱下部１０は、作業員が落下し親綱ｇ（図示せず）を介して作用する衝撃力に耐える高い剛性を有する。
【００２７】
図４（Ａ）において、支柱下部１０は、その上部に着脱可能な支柱上部２０を固定して親綱支柱として用いることができるようになっている。支柱上部２０の上端（又は上部）には、親綱ｇを固定する親綱固定具２２（この例ではアイボルト）が固定されている。
親綱固定具２２の高さ（又は、支柱上部２０の上端高さ）は、ほぼ作業員の安全帯の高さであり、例えば母屋ｃの上面から約１ｍ（例えば８００〜１２００ｍｍ）であるのがよい。
【００２８】
支柱上部２０は、その下端部に支柱下部１０の中空管の内側に嵌合する嵌合部２３を有する。嵌合部２３は、支柱下部１０の第１水平貫通孔１１と整合する位置に第３水平貫通孔２４を有する。
なおこの例では、支柱下部１０は、第１水平貫通孔１１より下方に第４水平貫通孔１２を有し、支柱上部２０の嵌合部２３は、支柱下部１０の第４水平貫通孔１２と整合する位置に第５水平貫通孔２５を有する。
【００２９】
図４（Ａ）において、第１水平貫通孔１１と第３水平貫通孔２４を貫通してボルト＆ナット（図示しない）、又はアイボルトを固定し、第４水平貫通孔１２と第５水平貫通孔２５を貫通してボルト＆ナット（図示しない）を固定するようになっている。
この構成により、支柱下部１０の上部に着脱可能に支柱上部２０を固定して、支柱下部１０と支柱上部２０を親綱支柱として用いることができる。
【００３０】
支柱上部２０は、支柱下部１０の上部に嵌合する中空管である。この中空管は、矩形鋼管又は円形鋼管であるのがよい。また、支柱上部２０は、作業員が落下し親綱ｇ（図示せず）を介して作用する衝撃力を変形して吸収できる剛性を有することが好ましい。
支柱下部１０の上端高さは、親綱ｇを介して作用する支柱上部２０に作用する衝撃力の最大値が適正範囲になるように設定することが好ましく、例えば母屋ｃの上面から２００〜５００ｍｍであるのがよい。
【００３１】
図４において、（Ｂ）は防水施工後の図３（Ｂ）の支柱下部１０の拡大図であり、（Ｃ）は（Ｂ）のＣ−Ｃ矢視図である。
【００３２】
図４（Ｂ）（Ｃ）に示すように、防水施工後において、本発明による防水屋根構造は、支柱下部１０の上端外側に嵌合し中空管の上端開口を液密に覆う防水キャップ３０を備える。防水キャップ３０は、支柱下部１０の第１水平貫通孔１１と整合する位置に第２水平貫通孔３２を有する。
本発明による防水屋根構造は、さらに、支柱下部１０の第１水平貫通孔１１及び防水キャップ３０の第２水平貫通孔３２を貫通して着脱可能であり、親綱ｇを固定可能なアイボルト３４を備える。
この構成により、アイボルト３４に親綱ｇを固定することにより、防水屋根の完成後の定期点検やメンテナンスの際にも、作業員の安全性が確保できる。
【００３３】
図４において、本発明による防水屋根構造は、さらに、屋根材４０と防水シート５０を備える。
屋根材４０は、例えば、溶接亜鉛めっき鋼板であり、母屋ｃ及びパラペットｄの上面に隙間なく固定される。
防水シート５０は、例えば塩ビシートであり、屋根材４０の上面に貼付けられる。
【００３４】
図４において、支柱下部１０は、防水キャップ３０より下方位置に設けられ半径方向外方に延びる鍔部材１４を有する。
また、防水シート５０は、屋根材４０の上面から、支柱下部１０の外面、及びパラペットｄの上面まで連続的に貼付けられている。
この構成により、鍔部材１４により、支柱下部１０の外面の防水シート５０の端部に雨水が侵入するのを防ぐことができる。
【００３５】
図５は、母屋ｃ、屋根材４０、及び防水シート５０の構造を示す斜視図である。
この例において、母屋ｃの上面に屋根材４０が隙間なく固定され、その上面に防水シート５０が隙間なく貼付けられている。
さらにこの例では、屋根材４０の下面に耐火被膜４２（例えば吹付けロックウール）が設けられ、全体として耐火構造になっている。
なお、この構成は、必須ではなく、その他の構成、例えば屋根材４０と防水シート５０の間に断熱材（例えばロックウール）を設けてもよい。
【００３６】
図６は、支柱下部１０の固定位置の説明図である。この図は図３（Ａ）から梁ｂ、母屋ｃの図示を省略し、主柱ａとパラペットｄのみを示している。
また、この例で４つの支柱下部１０が設けられている。４つの支柱下部１０をそれぞれ１０Ａ，１０Ｂ，１０Ｃ，１０Ｄと呼び、それぞれの固定位置をＡ，Ｂ，Ｃ，Ｄとする。
また、図中のＲは、安全帯のランヤードの許容長さである。半径Ｒの円は、固定位置Ａ，Ｂ，Ｃ，Ｄから安全帯を介して作業者がアクセスできる範囲を示している。なお、「アクセス」とは作業員が近接して作業することを意味する。
【００３７】
さらに半径Ｒの４つの円において、隣接する２つの円に接する２本の平行線の内側は、親綱ｇから安全帯のランヤードの許容長さで、作業者がアクセスできる範囲を示している。
なお、この例において、固定位置Ｂと固定位置Ｄとの間にも親綱ｇを連結し、屋根面の中央部分にも作業者がアクセスできるようになっている。
【００３８】
上述したように、本発明による防水屋根構造は、支柱下部１０の固定位置が、隣接する支柱上部２０の間を連結する親綱ｇから安全帯のランヤードの許容長さで、屋根全面にアクセスできるように設定されている。
また、この例では、親綱ｇからパラペットｄの外縁までの水平距離が、ランヤードの許容長さより短く、かつ作業員が歩行可能な幅よりも長く設定されている。
【００３９】
なお、支柱下部１０の数は、この例に限定されず、安全性を確保できる限りで、支柱下部１０Ａ，１０Ｂ，１０Ｃ，１０Ｄの間、又は任意の位置に設けてもよい。
【００４０】
図７は、本発明による防水屋根構造の防水施工方法の全体フロー図である。
この図において、本発明の防水施工方法は、Ｓ１〜Ｓ６の各ステップ（工程）からなる。
ステップＳ１では、隣接する支柱上部２０の間を連結する親綱ｇから安全帯のランヤードの許容長さで、屋根全面にアクセスできるように複数の支柱下部１０の固定位置を設定する。
ステップＳ２では、支柱下部１０を母屋ｃ又は梁ｂに固定する。次いで、その上部に支柱上部２０を固定して親綱支柱として用い、親綱ｇと安全帯を用いてステップＳ３，Ｓ４を実施する。
ステップＳ３では、屋根材４０に支柱下部１０を避ける開口を設け、屋根全面に屋根材４０を固定する。この固定は隙間なく実施することが好ましい。
ステップＳ４では、防水シート５０を屋根材４０の上面に貼付る。この際、防水シート５０を、屋根材４０の上面から、支柱下部１０の外面、及びパラペットｄの上面まで連続的に貼付ける。
ステップＳ５では、支柱上部２０を取り外し、支柱下部１０の上端外側に防水キャップ３０を嵌合させて支柱下部１０の上端開口を液密に覆う。支柱上部２０の取外し後は、支柱下部１０のアイボルト３４に親綱ｇを固定することが好ましい。
ステップＳ６では、支柱下部１０の上端外側と防水キャップ３０との隙間をシーリング材でシールする。
【００４１】
上述した本発明の実施形態によれば、屋根全面にアクセスできる位置に固定された支柱下部１０の上部に支柱上部２０を固定して親綱支柱として用いることができる。従って、「屋根材の固定」のため可搬式の親綱支柱の取付け／取り外しを実施する必要がなく、作業効率を高めることができる。
【００４２】
また、複数の支柱下部１０の固定位置が、隣接する支柱上部２０の間（１スパン）を連結する親綱ｇから安全帯のランヤードの許容長さで、屋根全面にアクセスできるように設定されている。従って、安全帯のランヤード長さが制限され（例えば１．５ｍ以下）、隣接する親綱支柱の間（１スパン）の作業が一人に制限される場合でも、その屋根全面の防水施工を、作業員の落下を防止して効率よくできる。
【００４３】
また支柱下部１０は、パラペットｄの内側に位置するので、延長ポールｆが不要であり、安全性を確保した状態で、垂直ポールｅの上面に屋根材４０（又は防水シート５０）をいつでも施工できる。
さらに、支柱下部１０の固定位置は、隣接する支柱上部２０の間を連結する親綱ｇから安全帯のランヤードの許容長さで、屋根全面にアクセスできるように設定されているので、屋根面の中央部分も支障なく施工できる。
【００４４】
また屋上の防水施工後も、母屋ｃ又は梁ｂに下端部が固定された複数の支柱下部１０の上端が防水シート５０より上方まで延びているので、これを利用して、防水屋根の完成後の定期点検やメンテナンスの際に、安全性を確保できる。
【００４５】
すなわち、複数の支柱下部１０の上端が防水シート５０より上方まで延びており、その上部に着脱可能な支柱上部２０を固定して親綱支柱として用いることができる。従って、防水屋根の完成後の定期点検やメンテナンスの際にも、支柱下部１０に支柱上部２０を固定して親綱支柱として用い、作業員の安全性が確保できる。
【００４６】
なお本発明は上述した実施の形態に限定されず、本発明の要旨を逸脱しない範囲で種々変更を加え得ることは勿論である。
【符号の説明】
【００４７】
ａ  主柱、ｂ  梁、ｃ  母屋、ｄ  パラペット、ｅ  垂直ポール、ｆ  延長ポール、
ｇ  親綱、Ｒ  半径、１  車両、３  パレット、４  昇降路、５  ケージ、
５ａ  昇降旋回装置、６  格納棚、７  入出庫フロア、
１０（１０Ａ，１０Ｂ，１０Ｃ，１０Ｄ）  支柱下部、１１  第１水平貫通孔、
１２  第４水平貫通孔、１４  鍔部材、２０  支柱上部、２２  親綱固定具、
２３  嵌合部、２４  第３水平貫通孔、２５  第５水平貫通孔、
３０  防水キャップ、３２  第２水平貫通孔、３４  アイボルト、
４０  屋根材、４２  耐火被膜、５０  防水シート、
１００  機械式駐車装置（エレベータ式駐車装置）
【図１】
2020193479.tif 000003
【図２】
2020193479.tif 000004
【図３】
2020193479.tif 000005
【図４】
2020193479.tif 000006
【図５】
2020193479.tif 000007
【図６】
2020193479.tif 000008
【図７】
2020193479.tif 000009